(57)【要約】【課題】部品点数が少なく、脚柱への座体の着脱作業がきわめて簡単であり、しかも、脚柱に対して座体を正確かつ確実に位置決めおよび回転止めすることができるようにした椅子を提供する。【解決手段】脚柱の上端における高さ調節支柱１１の上端部に、座体１を取り付けた椅子において、高さ調節支柱１１の上部の外周面の断面形状を正六角形等の非円形とし、この非円形断面部の上端に、基端の外径が上記非円形内に収まるようにした先細りテーパ部１１ａを設け、座体１を支持する座取付部材２１に、先細りテーパ部１１ａが嵌合されるテーパ孔２９と、その下端に連続し、かつ非円形断面部が相対回転不能して嵌合される六角孔(非円形孔)２８とを設ける。【選択図】      図５
2009112382.tif 000002
【特許請求の範囲】
【請求項１】
脚柱の上端における高さ調節支柱の上端部に、座体を取り付けた椅子において、
前記高さ調節支柱の上部の外周面の断面形状を非円形とし、この非円形断面部の上端に、基端の外径が前記非円形内に収まるようにした先細りテーパ部を設け、前記座体またはそれを支持する座取付部材に、前記先細りテーパ部が嵌合されるテーパ孔と、その下端に連続し、かつ前記非円形断面部が相対回転不能して嵌合される非円形孔とを設けたことを特徴とする椅子。
【請求項２】
脚柱および高さ調節支柱が後傾し、かつ座体が、ほぼ水平か、または前下がり傾斜するものとした請求項１記載の椅子。
【請求項３】
脚柱の中間部または上部に、平面視において後方に向かって左右方向に拡開するとともに、後下方に向かって傾斜し、下端が接床するようにした左右１対の後脚を設けた請求項２記載の椅子。
【請求項４】
非円形断面部の外形を正六角形とし、非円形孔を、それにほぼ補形をなす正六角孔とした請求項１〜３のいずれかに記載の椅子。
【発明の詳細な説明】
【技術分野】
【０００１】
本発明は、高さ調節支柱の上端部に、座体を取り付けた椅子に関する。
【背景技術】
【０００２】
従来の椅子においては、脚柱の上下の端部に、先細りテーパ部を設け、これを、ベース脚の上面中央部に設けたテーパ孔、および座体を支持する座取付部材の下面に設けたテーパ孔に嵌合して、ベース脚上に脚柱を、また脚柱の上端に座取付部材をそれぞれ支持するようにしたものが多い(例えば特許文献１参照)。
【０００３】
また、座取付部材(座シート取付用基体)の下面に垂設した管軸に脚柱(支軸)の上端部を遊挿するとともに、管軸の下端部外周にＴ字状の切欠きを設け、この切欠きより下方の管軸の下端部を、締付用函、螺子、および固定子よりなる締付手段により締め付けることにより、座取付部材を、脚柱に対して回転止めしたものがある(例えば特許文献２参照)。
【特許文献１】特開平６−１４８２２号公報
【特許文献２】実公昭４６−７２５７号公報
【発明の開示】
【発明が解決しようとする課題】
【０００４】
しかし、特許文献１に記載されているものにおいては、脚柱に対して座体が回転するおそれがあるとともに、脚柱に対する座体の前後の向きを正確に位置決めすることができないので、例えば、脚柱を後傾させ、かつ座体を水平とした椅子のように、脚柱に対する座体の前後の向きを正確に位置決めしなければならない場合には、不向きである。
【０００５】
特許文献２に記載されているものにおいては、締付手段を締め付けることにより、座取付部材を、脚柱に対して回転止めすることはできるが、部品点数が多く、構造が複雑となって、コストが高くつく等の問題がある。
【０００６】
本発明は、従来の技術が有する上記のような問題点に鑑み、部品点数が少なく、脚柱への座体の着脱作業がきわめて簡単であり、しかも、脚柱に対して座体を正確かつ確実に位置決めおよび回転止めすることができるようにした椅子を提供することを目的としている。
【課題を解決するための手段】
【０００７】
本発明によると、上記課題は次のようにして解決される。
(１)  脚柱の上端における高さ調節支柱の上端部に、座体を取り付けた椅子において、前記高さ調節支柱の上部の外周面の断面形状を非円形とし、この非円形断面部の上端に、基端の外径が前記非円形内に収まるようにした先細りテーパ部を設け、前記座体またはそれを支持する座取付部材に、前記先細りテーパ部が嵌合されるテーパ孔と、その下端に連続し、かつ前記非円形断面部が相対回転不能して嵌合される非円形孔とを設ける。
【０００８】
(２)  上記(１)項において、脚柱および高さ調節支柱が後傾し、かつ座体が、ほぼ水平か、または前下がり傾斜するものとする。
【０００９】
(３)  上記(２)項において、脚柱の中間部または上部に、平面視において後方に向かって左右方向に拡開するとともに、後下方に向かって傾斜し、下端が接床するようにした左右１対の後脚を設ける。
【００１０】
(４)  上記(１)〜(３)項のいずれかにおいて、非円形断面部の外形を正六角形とし、非円形孔を、それにほぼ補形をなす正六角孔とする。
【発明の効果】
【００１１】
本発明によると、次のような効果を奏することができる。
請求項１記載の発明によると、座体またはそれを支持する座取付部材に設けた非円形孔に、高さ調節支柱の非円形断面部を嵌合し、かつ座体またはそれを支持する座取付部材に設けたテーパ孔に、高さ調節支柱の先細りテーパ部を圧嵌するだけで、座体は、高さ調節支柱の上端部に、正確かつ確実に位置決めおよび回転止めされた状態で、簡単に取付けることができるとともに、高さ調節支柱の上端部から座体を上方に持ち上げるだけで、座体を、高さ調節支柱の上端部から簡単に外すことができる。
また、脚柱と座体以外に、例えば特許文献２における締付手段のような多くの部品を必要とせず、部品点数の削減に寄与することができる。
【００１２】
請求項２記載の発明によると、脚柱および高さ調節支柱が後傾し、かつ座体が、ほぼ水平か、または前下がり傾斜するものとしてあるので、着座者と座体の荷重が、高さ調節支柱の中心軸線、すなわち先細りテーパ部や非円形孔の中心軸線に対して斜めに掛かるので、座体は、高さ調節支柱より外れにくくなる。
また、このような構成においては、高さ調節支柱に対して、座体が直角以外の角度で交わっているので、座体の向きが変わると、座体の水平が保てなくなり、下方を向くこともあるが、座体またはそれを支持する座取付部材に設けた非円形孔に、高さ調節支柱の非円形断面部が嵌合することにより、そのような座体の向きの変動を防止することができる。
【００１３】
請求項３記載の発明によると、脚柱の中間部または上部に、平面視において後方に向かって左右方向に拡開するとともに、後下方に向かって傾斜し、下端が接床するようにした左右１対の後脚を設けてあるので、脚柱に後脚を予め取り付けておき、その脚柱の上端に組み付けた高さ調節支柱に座体を取付けるだけでよいので、部品点数が少なく、脚への座体の取付および全体の組み立て作業が簡単である。
また、左右の後脚が、平面視において後方に向かって左右方向に拡開するようにして脚柱に取り付けられているので、座体の安定性がよい。
【００１４】
請求項４記載の発明によると、非円形断面部の外形を正六角形とし、非円形孔を、それにほぼ補形をなす正六角孔としてあるので、製造が容易で、しかも体裁がよい。
【発明を実施するための最良の形態】
【００１５】
以下、本発明の一実施形態を、添付図面を参照して説明する。  
図１〜図３に示すように、この椅子は、上端に座体１が取付けられ、かつ下端が接床するようにした後傾する前脚である脚柱２と、この脚柱２の中間部または上部に上端が固着され、かつ平面視において後方に向かって左右方向に拡開するとともに、後下方に向かって傾斜し、下端が接床するようにした左右１対の後脚３、３とを備えている。
【００１６】
この例では、各後脚３は、上端が脚柱２における上下方向に離間した２箇所に取り付けられ、かつ下端部が互いに結合された上下１対の脚杆４、５を備えるものとしてある。
【００１７】
図３に示すように、後脚３の前傾角度θ１は、脚柱２の後傾角度θ２より大とし、後方に倒れにくいようにしてある。
【００１８】
脚柱２および各後脚３の下端部には、合成樹脂製の接床部材６、７が下方より嵌着されている。
【００１９】
脚柱２は、伸縮することにより、座体１の高さを調節しうるようにした高さ調節機構８を備えており、この高さ調節機構８による座体１の高さ調節範囲は、図３に想像線で示すように、座体１を最も低くしたとき、座体１が脚柱２の下端より後方に位置し、かつ図３に実線で示すように、座体１を最も高くしたとき、座体１が後脚３、３の下端より前方に位置するように制限してある。
これによって、この椅子は、座体１の高さをどのように変更しても、常に安定し、前後および左右のいずれの方向にも倒れないようにしてある。なお、左右への倒れは、左右の後脚３、３が、脚柱２より後方に向かって左右方向に拡開するように延出していることによって阻止される。
【００２０】
図４および図５に示すように、脚柱２は、円筒状の外装筒９と、高さ調節機構８を構成するガススプリング１０とを備えている。
ガススプリング１０は、高さ調節支柱１１として機能するガスシリンダと、その一端から進退しうるピストンロッド１２とを備え、ガスシリンダ、すなわち高さ調節支柱１１の他端に設けたプッシュボタン１３を押動しているときだけ、ピストンロッド１２が自由に進退できるとともに、ガスシリンダ内部のガス圧により、進出する方向に付勢され、プッシュボタン１３が突出位置に位置しているときは、ピストンロッド１２の進退ができなくなるようにした公知のものである。
【００２１】
このガススプリング１０は、ピストンロッド１２の先端部を、外装筒９の下端部を閉塞する端板１４の中央に、ボルト・ナット１５をもって止着し、かつ高さ調節支柱１１を、外装筒９の上端より嵌着した軸受部材１６により軸線方向に摺動可能として軸受し、外装筒９の上端から同軸をなして上方に突出するようにして、外装筒９に組み付けられている。
【００２２】
高さ調節支柱１１の外周面の断面形状は正六角形(またはその他の多角形を含む非円形としてもよい)としてあり、その上端には、上記正六角形の内接円より最大径を小とした先細りテーパ部１１ａが連設されており、その先細りテーパ部１１ａの先端面に、上記プッシュボタン１３が設けられている。
【００２３】
図７に示すように、軸受部材１６は、上下方向を向く筒部１７と、この筒部１７の上端に設けられた拡径鍔部１８と、この拡径鍔部１８の下面に連続するようにして、筒部１７の外周面の前後部に突設された回り止め用の凸部１９とを備えている。
【００２４】
図７および図８に示すように、筒部１７は、長手方向を向く複数(この例では６個)の厚肉部１７ａの相互間を、可撓性の薄肉部１７ｂをもって互いに連結することにより、全体としてほぼ円形とされている。
【００２５】
厚肉部１７ａの外面は、外装筒９の内面と補形をなす円弧状に形成され、また厚肉部１７ａの内面は、軸部材である高さ調節支柱１１の外周面と補形をなす、すなわち高さ調節支柱１１の外周面の正六角形の直線部分の平面と補形をなす平面としてある。
なお、高さ調節支柱１１を回り止めする必要がない場合は、高さ調節支柱１１の外周面を円形とし、厚肉部１７ａの内面を、それに補形をなす円弧状とすることもある。
【００２６】
薄肉部１７ｂの横断面形状は、凸部が外方を向く円弧状とし、薄肉部１７ｂの内側に凹部が形成されるようにしてある。
【００２７】
軸受部材１６は、その拡径鍔部１８が外装筒９の上端に当接し、凸部１９が、外装筒９の上端の前後の縁に形成された方形の切欠き２０に嵌合するようにして、筒部１７を外装筒９内に圧入することにより、外装筒９の上端部に嵌着されている。
【００２８】
外装筒９内に筒部１７を圧入したとき、薄肉部１７ｂが弾性変形し、筒部１７は、全体としては縮径するが、厚肉部１７ｂの厚さは変動することはないので、軸受部材１６の圧入後の内面形状を正確に予測することができる。
したがって、軸受部材１６内に高さ調節支柱１１を嵌合したときの嵌め合いがきつくなることはない。
【００２９】
また、軸受部材１６内に高さ調節支柱１１を嵌合したとき、高さ調節支柱１１の外周の正六角形の各角部が、軸受部材１６における薄肉部１７ｂの内側の凹部に遊嵌され、軸受部材１６の内面と接触することがなく、正六角形の直線部分が厚肉部１７ａの内面と摺接するだけであるので、正六角形の各角部に応力が集中することなく、高さ調節支柱１１は、軸受部材１６内を、回り止めされた状態で、円滑に軸線方向に摺動することができる。
【００３０】
軸受部材１６が外装筒９から抜けるのを防止するため、必要に応じて、軸受部材１６を外装筒９にねじ止め(図示略)してもよい。
【００３１】
軸受部材１６から上方に突出する高さ調節支柱１１の上端部には、図５に示すように、座体１を支持する座取付部材２１が取り付けられている。
座取付部材２１は、ほぼ水平の基板部２２と、その下面のほぼ中央より、脚柱２の後傾角度と同一の後傾角度をもって前下方に延出する筒部２３と、基板部２２の後端より後下方に延出する、椅子の持ち運び用の取っ手２４と、基板部２２の上面四隅に上向き突設され、上端で座体１を支持することにより、基板部２２と座体１とを上下方向に離間させるようにした４個の突部２５とを備えている。
【００３２】
基板部２２の上面中央には、方形の凹部２６が設けられ、この凹部２６の前部を左右方向に横切るように、基板部２２の上面には、断面ほぼＵ字状の凹溝２７が設けられている。
また、筒部２２の下端から凹部２６の底面にかけて、高さ調節支柱１１の六角形の外周面と補形をなす六角孔(非円形孔)２８と、高さ調節支柱１１の先細りテーパ部１１ａのテーパと同一テーパとした、下方に向かって拡開するテーパ孔２９とが連続して設けられている。
【００３３】
しかして、六角孔２８に高さ調節支柱１１の六角形の外周部分を嵌合し、かつテーパ孔２９に先細りテーパ部１１ａを嵌合することにより、座取付部材２１は高さ調節支柱１１に、回り止めされて取り付けられている。
通常の使用状態や持ち運び状態では、先細りテーパ部１１ａとテーパ孔２９との嵌合だけで、座取付部材２１が高さ調節支柱１１から外れることがないことは、従来の事務用椅子における脚柱とベース脚との関係から明らかである。
【００３４】
したがって、座取付部材２１に設けた六角孔２８に高さ調節支柱１１の六角形の外周部分を嵌合し、かつテーパ孔２９に先細りテーパ部１１ａを嵌合するだけで、座取付部材２１を、高さ調節支柱１１の上端部に、正確かつ確実に位置決めおよび回転止めされた状態で、簡単に取付けることができるとともに、高さ調節支柱１１の上端部から座取付部材２１を外すこともできる。
【００３５】
なお、六角孔２８とテーパ孔２９とを座体１に直接設け、座体１を、座取付部材２１を介することなく、高さ調節支柱１１に直接取り付けることもある。
【００３６】
座取付部材２１を高さ調節支柱１１の上端部に取り付けたとき、先細りテーパ部１１ａの先端部とプッシュボタン１３とが、座取付部材２１の凹部２６内に位置し、凹部２６内において、左右方向を向く操作軸３０の中央部に溶接された作動片３１により、プッシュボタン１３が押動されるようになっている。
【００３７】
操作軸３０は、凹溝２７内に嵌合された左右１対の軸受部材３２、３２をもって、座取付部材２１に回転自在に枢支され、座取付部材２１の両側方に突出する両端部を前方に折曲して形成したハンドル部３０ａ、３０ａのいずれかを上向き回動させることにより、作動片３１でプッシュボタン１３を押動しうるようになっている。
【００３８】
図５および図６に示すように、各軸受部材３２は、可撓性を有するＵ字状の挾み片３３の下端部で、操作軸３０を回転自在に挾み込み、その状態で挾み片３３を凹溝２７内に上方より嵌合した後、挾み片３３の上端に連設した１対の取付片３４、３４を、基板部２２の上面に当接させて、ねじ止めすることにより、簡単かつ確実に座取付部材２１に取り付けられている。
【００３９】
座体１は、ほぼ水平で、前部がわずかに前下がり傾斜する座板の上面に、クッション材を重ねて、それらを表皮材により覆った平面視横長方形の公知の構成(その詳細な図示は省略)のもので、その座板を、座取付部材２１における４個の突部２５の上に載置して、各突部２５を貫通させたボルト(図示略)をもって、座取付部材２１に固定されている。
【００４０】
図１、図５および図６に示すように、座取付部材２１における取っ手２４は、平面視円弧状をなし、その後端が、座体１の後端と上下方向にほぼ整合するか、または内方に位置するようにしてあり、それによって、取っ手２４が他物に衝突するおそれがなく、しかも美観を高めることができるようにしてある。
【００４１】
また、取っ手２４を、座取付部材２１と一体的に形成してあるので、部品点数を増加させることがなく、しかも、この取っ手２４に下方より手をかけて、椅子を安定よく持ち運ぶことができる。
【００４２】
さらに、取っ手２４は、座体１の下方に配設されているので、この取っ手２４が着座感に影響を与えることはなく、また、持ち運び時の椅子の揺動を小さくすることができ、持ち運び時に、椅子の脚等が他物に衝突するのを未然に防止することができる。
【００４３】
以上から明らかなように、この実施形態においては、座取付部材２１に設けた六角孔２８に、高さ調節支柱１１の正六角形の断面部分を嵌合し、かつ座取付部材２１に設けたテーパ孔２９に、高さ調節支柱１１の先細りテーパ部１１ａを圧嵌するだけで、座体１は、高さ調節支柱１１の上端部に、正確かつ確実に位置決めおよび回転止めされた状態で、簡単に取付けることができるとともに、高さ調節支柱１１の上端部から座体１を上方に持ち上げるだけで、座体１を、高さ調節支柱の上端部から簡単に外すことができる。
【００４４】
本発明は、上記実施形態のみに限定されるものではなく、幾多の変形した態様での実施が可能である。
例えば、後脚３、３を、それぞれ１本の脚杆のみによって形成することもできる。
【図面の簡単な説明】
【００４５】
【図１】本発明の一実施形態を、斜め後方より見た斜視図である。
【図２】同じく、正面図である。
【図３】同じく、側面図である。
【図４】同じく、脚柱の中央縦断側面図である。
【図５】同じく、脚柱と座体との取付部分の中央縦断側面図である。
【図６】同じく、座体を取り外した状態で、斜め後方より見た斜視図である。
【図７】同じく、軸受部材の斜視図である。
【図８】同じく、軸受部材の筒部の横断平面図である。
【符号の説明】
【００４６】
１  座体
２  脚柱(前脚)
３  後脚
４、５  脚杆
６、７  接床部材
８  高さ調節機構
９  外装筒
１０  ガススプリング
１１  高さ調節支柱(シリンダ、軸部材)
１１ａ先細りテーパ部
１２  ピストンロッド
１３  プッシュボタン
１４  端板
１５  ボルト・ナット
１６  軸受部材
１７  筒部
１７ａ厚肉部
１７ｂ薄肉部
１８  拡径鍔部
１９  凸部
２０  切欠き
２１  座取付部材
２２  基板部
２３  筒部
２４  取っ手
２５  突部
２６  凹部
２７  凹溝
２８  六角孔(非円形孔)
２９  テーパ孔
３０  操作軸
３１  作動片
３２  軸受部材
３３  挾み片
３４  取付片
【図１】
2009112382.tif 000003
【図２】
2009112382.tif 000004
【図３】
2009112382.tif 000005
【図４】
2009112382.tif 000006
【図５】
2009112382.tif 000007
【図６】
2009112382.tif 000008
【図７】
2009112382.tif 000009
【図８】
2009112382.tif 000010